(57)【要約】  被測定光に含まれる光の波長に依存した光出力を検出する光スペクトラムアナライザであって、圧電基板（３）に、光導波路（４ａ），（４ｂ）、ＩＤＴ（５）、偏光スプリッタ（７），（８）を有する導波路型音響光学波長可変フィルタ（２）を構成する。この圧電基板（３）には導波路型音響光学波長可変フィルタ（２）を加熱保温する温度調整用ヒータ（３１）を設け、導波路型音響光学波長可変フィルタ（２）を所定の一定温度に保つ。演算装置（１６）は、その温度に応じたＩＤＴ（５）に印加する高周波信号の周波数と導波路型音響光学波長可変フィルタ（２）の選択波長との関係を基に被測定光の光スペクトラムを求める。
2008152879.tif 000002
【特許請求の範囲】
【請求項１】
被測定光に含まれる光の波長に依存した光出力を検出する光スペクトラムアナライザであって、
被測定光を伝搬する光導波路と、弾性表面波を伝搬して、前記光導波路を伝搬する光のモードを変換するＳＡＷ導波路と、該ＳＡＷ導波路を伝搬する前記弾性表面波を励振するＩＤＴとを基板に設けてなる導波路型音響光学波長可変フィルタと、
前記ＩＤＴに高周波信号を印加する駆動回路と、
前記導波路型音響光学波長可変フィルタから出力される光を受光して当該光のパワーを検出する受光器と、
前記導波路型音響光学波長可変フィルタまたはその近傍の温度をほぼ一定に制御する温度制御手段と、
前記高周波信号の周波数を変化させるとともに、前記高周波信号の周波数と前記導波路型音響光学波長可変フィルタの選択波長との関係を基に被測定光の光スペクトラムを求める手段と、
を備えることを特徴とする光スペクトラムアナライザ。
【請求項２】
前記温度を制御する手段は、ペルチェ素子または抵抗ヒータであることを特徴とする請求項１に記載の光スペクトラムアナライザ。
【請求項３】
被測定光に含まれる光の波長に依存した光出力を検出する光スペクトラムアナライザであって、
被測定光を伝搬する光導波路と、弾性表面波を伝搬して、前記光導波路を伝搬する光のモードを変換するＳＡＷ導波路と、該ＳＡＷ導波路を伝搬する前記弾性表面波を励振するＩＤＴとを基板に設けてなる導波路型音響光学波長可変フィルタと、
前記ＩＤＴに高周波信号を印加する駆動回路と、
前記導波路型音響光学波長可変フィルタから出力される光を受光して当該光のパワーを検出する受光器と、
前記導波路型音響光学波長可変フィルタまたはその近傍の温度を測定する温度測定手段と、
前記高周波信号の周波数を変化させるとともに、前記温度測定手段による測定温度に対する前記高周波信号の周波数と前記導波路型音響光学波長可変フィルタの選択波長との関係を基に被測定光の光スペクトラムを求める手段と、
を備えることを特徴とする光スペクトラムアナライザ。
【請求項４】
前記温度測定手段は、前記基板に設けたまたは前記基板の近傍に設けた感温素子、およびその検出信号を処理する回路で構成した請求項３に記載の光スペクトラムアナライザ。
【請求項５】
前記温度測定手段は、前記基板に設けたＳＡＷ共振子および当該ＳＡＷ共振子の共振周波数を求める回路で構成した請求項３に記載の光スペクトラムアナライザ。
【発明の詳細な説明】
【技術分野】
【０００１】
この発明は、導波路型音響光学波長可変フィルタを用いた光スペクトラムアナライザに関するものである。
【背景技術】
【０００２】
従来、被測定光中のある波長範囲における光出力を測定するために、様々な光スペクトラムアナライザが提案されている。例えば、波長可変型ファイバグレーティングを用いた光スペクトラムアナライザが用いられている。これは、ファイバグレーティングを圧電素子で伸縮させることにより波長を変化させ、目的とする波長の光を取り出すように構成されたものである。【０００３】
しかし、波長可変型ファイバグレーティングを用いた光スペクトラムアナライザでは、圧電素子を用いるため、小型であり、かつ高速で測定を行うことが可能とされているが、波長可変範囲が狭いという問題があった。【０００４】
一方、音響光学波長可変フィルタ(AOTF:Acoust-OpticTunable Filter)が非特許文献１に開示されている。
【非特許文献１】中沢忠雄、谷口眞司、清野實「ＬｉＮｂＯ３チューナブル波長フィルタの開発」信学技報ＯＰＥ９６−１２３（１９９６−１２）社団法人電子情報通信学会  ｐ．７９−８４
【発明の開示】
【発明が解決しようとする課題】
【０００５】
前記非特許文献１に示されているような音響光学波長可変フィルタは、弾性表面波の励振周波数に応じて選択波長が変化するので、その特性を光スペクトラムアナライザとして利用することができる。【０００６】
しかし、音響光学波長可変フィルタは、前記非特許文献１に示されているように、温度による屈折率差と音速変化の影響により、印加ＳＡＷ励振周波数が一定の場合の温度に対して選択光波長が変化する。【０００７】
ここで、周波数を固定して温度を変化させた時の音響光学波長可変フィルタの選択波長の変化を図１に示す。この例ではリニアに変化し、温度変化率は約０．７６ｎｍ／℃である。【０００８】
このように温度変化に応じて音響光学波長可変フィルタの選択波長が変化するので、この音響光学波長可変フィルタの温度特性の影響を受けて高い測定波長確度が得られないという問題が生じる。【０００９】
そこで、この発明の目的は、上述した従来技術の欠点を解消し、導波路型音響光学波長可変フィルタを用いて、小型に構成でき且つ高速測定が可能であるだけでなく、光スペクトラムをより高精度に測定することのできる光スペクトラムアナライザを提供することにある。
【課題を解決するための手段】
【００１０】
前記課題を解決するために、この発明の光スペクトラムアナライザは次のように構成する。
（１）この発明の光スペクトラムアナライザは、被測定光に含まれる光の波長に依存した光出力（光パワー）を検出する光スペクトラムアナライザであって、
被測定光を伝搬する光導波路と、弾性表面波を伝搬して、前記光導波路を伝搬する光のモードを変換するＳＡＷ導波路と、該ＳＡＷ導波路を伝搬する前記弾性表面波を励振するＩＤＴとを基板に設けてなる導波路型音響光学波長可変フィルタと、
前記ＩＤＴに高周波信号を印加する駆動回路と、
前記導波路型音響光学波長可変フィルタから出力される光を受光して当該光のパワーを検出する受光器と、
前記導波路型音響光学波長可変フィルタまたはその近傍の温度をほぼ一定に制御する温度制御手段と、
前記高周波信号の周波数を変化させるとともに、前記高周波信号の周波数と前記導波路型音響光学波長可変フィルタの選択波長との関係を基に被測定光の光スペクトラムを求める手段と、
を備えることを特徴とする。【００１１】
（２）前記温度を制御する手段としては、例えばペルチェ素子または抵抗ヒータを用いる。【００１２】
（３）この発明の光スペクトラムアナライザは、被測定光に含まれる光の波長に依存した光出力（光パワー）を検出する光スペクトラムアナライザであって、
被測定光を伝搬する光導波路と、弾性表面波を伝搬して、前記光導波路を伝搬する光のモードを変換するＳＡＷ導波路と、該ＳＡＷ導波路を伝搬する前記弾性表面波を励振するＩＤＴとを基板に設けてなる導波路型音響光学波長可変フィルタと、
前記ＩＤＴに高周波信号を印加する駆動回路と、
前記導波路型音響光学波長可変フィルタから出力される光を受光して当該光のパワーを検出する受光器と、
前記導波路型音響光学波長可変フィルタまたはその近傍の温度を測定する温度測定手段と、
前記高周波信号の周波数を変化させるとともに、前記温度測定手段による測定温度に対する前記高周波信号の周波数と前記導波路型音響光学波長可変フィルタの選択波長との関係を基に被測定光の光スペクトラムを求める手段と、
を備えることを特徴とする。【００１３】
（４）前記温度測定手段は、前記基板に設けたまたは前記基板の近傍に設けた例えば熱電対またはサーミスタ素子等の感温素子、およびその検出信号を処理する回路で構成する。【００１４】
（５）前記温度測定手段は、例えばＳＡＷ共振子および当該ＳＡＷ共振子の共振周波数を求める回路で構成する。
【発明の効果】
【００１５】
この発明によれば、次のような効果を奏する。
（１）  この発明に係る光スペクトラムアナライザでは、被測定光に含まれる光の波長に依存した光出力を検出するにあたり、所定の一定温度であれば、前記導波路型音響光学波長可変フィルタの、前記ＩＤＴに印加する高周波信号の周波数と光導波路の選択波長との関係から目的の選択波長を高い確度で設定できる。【００１６】
すなわち、導波路型音響光学波長可変フィルタでは、光導波路において、被測定光は単一の偏光モードで伝搬される。この状態において、ＩＤＴから所定の周波数の高周波信号が印加されると、伝搬している光の偏光モードが変換され、音響光学波長可変フィルタから、特定の波長の光のみを分離し、出力することができる。この場合、出力される選択光の波長は、ＩＤＴに印加される高周波信号の周波数と１対１で対応している。従って、ＩＤＴを励振するための信号の周波数を、測定すべき波長範囲に応じて変化させることにより、波長毎の光出力（光パワー）を検出することができる。【００１７】
そのため、導波路型音響光学波長可変フィルタあるいはその近傍の温度を制御し、一定に保つことで、高い測定波長確度で被測定光の光スペクトラムを測定することができる。【００１８】
例えば、導波路型音響光学波長可変フィルタの温度特性が−８００ｐｍ／℃である場合に、０．１℃内で温度調節ができれば８０ｐｍ内の確度で測定できることになる（ｐｍ：10-12ｍ）。【００１９】
また、機械的駆動部品を必要とせず、小型化を図ることができる導波路型音響光学波長可変フィルタを用いるので、高速且つ高精度に光スペクトラムを測定することが可能となる。【００２０】
（２）前記温度の制御をペルチェ素子または抵抗ヒータで行うことによって、高精度な温度制御ができ、安定した測定精度が得られる。【００２１】
（３）この発明に係る光スペクトラムアナライザでは、導波路型音響光学波長可変フィルタの温度に対する前記高周波信号の周波数と前記導波路型音響光学波長可変フィルタの選択波長との関係を予め求めておくことによって、導波路型音響光学波長可変フィルタの温度に対する前記高周波信号の周波数と前記導波路型音響光学波長可変フィルタの選択波長との関係を基にして、加熱手段を設けることなく、また温度変化に関わらず、高い測定波長確度で被測定光の光スペクトラムを測定することができる。【００２２】
（４）前記温度測定手段を、前記基板に設けたまたは前記基板の近傍に設けた感温素子、およびその検出信号を処理する回路で構成することにより、導波路型音響光学波長可変フィルタの温度を高精度に測定でき、測定波長確度を高めることができる。【００２３】
（５）前記温度測定手段を、前記基板に設けたＳＡＷ共振子および当該ＳＡＷ共振子の共振周波数を求める回路で構成することにより、導波路型音響光学波長可変フィルタの温度を直接的に測定でき、測定波長確度を高めることができる。
【図面の簡単な説明】
【００２４】
【図１】周波数を固定して温度を変化させた時の導波路型音響光学波長可変フィルタの選択波長の変化を示す図である。
【図２】第１の実施形態に係る光スペクトラムアナライザの構成図である。
【図３】ＩＤＴを励振する高周波信号をステップ掃引したときの受光器から得られる出力波形の一例を示す図である。
【図４】ＩＤＴに印加する高周波信号の周波数変化ｄｆに対する選択光の波長変化ｄλの傾きｄλ／ｄｆの温度による変化を示す図である。
【図５】第２の実施形態に係る光スペクトラムアナライザの構成図である。
【図６】第３の実施形態に係る光スペクトラムアナライザの構成図である。
【図７】第４の実施形態に係る光スペクトラムアナライザの構成図である。
【符号の説明】
【００２５】
２−音響光学波長可変フィルタ
３−圧電基板
４ａ，４ｂ−光導波路
５−ＩＤＴ
６−駆動回路
７，８−偏光スプリッタ
７ａ−入射端
８ａ−出射端
９−入力用光ファイバ
１４−出力用光ファイバ
１５−受光器
１６−演算装置
３１−温度調整用ヒータ
３２−温度調整用ステージ
３３−温度モニタ用素子
３４−ＳＡＷ共振器
１０１〜１０４−光スペクトラムアナライザ
【発明を実施するための最良の形態】
【００２６】
《第１の実施形態》
第１の実施形態に係る光スペクトラムアナライザについて図２〜図４を参照して説明する。
図２は第１の実施形態に係る光スペクトラムアナライザの概略構成図である。図２に示す光スペクトラムアナライザ１０１は、被測定光が入力され、選択光が出力される導波路型音響光学波長可変フィルタ２を有する。導波路型音響光学波長可変フィルタ２は、圧電基板３を用いて構成している。この例では、圧電基板３は、ＬｉＮｂＯ3圧電単結晶基板からなる。尤も、圧電基板３は他の圧電単結晶や圧電セラミックスにより構成してもよい。【００２７】
上記圧電基板３には、光導波路４ａ，４ｂを設けている。光導波路４ａ，４ｂの一部にはＩＤＴ５を配置している。この光導波路４ａ，４ｂを設けた圧電基板３とＩＤＴ５とによってＳＡＷ導波路を構成している。ＩＤＴ５は駆動回路６に電気的に接続している。【００２８】
ＩＤＴ５は、互いに間挿し合う複数本の電極指を有する一対のくし歯電極からなる。このＩＤＴ５に、駆動回路６から高周波信号を与えると、ＩＤＴ５が励振され、弾性表面波が励振される。この弾性表面波の励振により、光導波路４ａ，４ｂを単一偏光モードで変換している光の偏光モードが変換されることになる。【００２９】
上記ＩＤＴ５よりも入力側には、交差導波路型の偏光スプリッタ７を配置している。同様に、光導波路４ａ，４ｂの出力側に、交差導波路型の偏光スプリッタ８を配置している。
圧電基板３には上記導波路型音響光学波長可変フィルタ２を加熱するための温度調整用ヒータ３１を備えている。この温度調整用ヒータ３１はペルチェ素子または抵抗ヒータであり、この例では、光導波路４ａ，４ｂに沿ってその両脇に線状に延びる形状に配置している。【００３０】
このような光導波路４ａ，４ｂ、ＩＤＴ５及び偏光スプリッタ７，８を有する導波路型音響光学波長可変フィルタ２により偏波無依存型ＡＯＴＦを構成している。【００３１】
偏波無依存型ＡＯＴＦである導波路型音響光学波長可変フィルタ２では、入射側に配置された交差導波路型偏光スプリッタ７の一方入射端７ａに被測定光を入射する。そして、後述するように、選択された光が、第２の交差導波路型偏光スプリッタ８の一方出射端８ａから出射されることになる。
ＩＤＴ５は、Ａｌ、Ｃｕまたは適宜の金属もしくは合金により形成する。【００３２】
さらに、上記光導波路４ａ，４ｂ、交差導波路型偏光スプリッタ７，８は、圧電基板の一部にＴｉなどを拡散させる公知の手法に従って形成する。【００３３】
この実施形態では、上記導波路型音響光学波長可変フィルタ２の一方入射端７ａに、入力用光ファイバ９を接続している。この入力用光ファイバ９には、被測定光を入射する。【００３４】
上記導波路型音響光学波長可変フィルタ２の出射端８ａには光ファイバ１４を接続している。この光ファイバ１４の出力側には受光器１５を接続している。
受光器１５は例えばフォトダイオードなどの適宜の光電変換素子からなり、入力された光の強度に応じた電気信号を出力する。【００３５】
この実施形態では、演算装置１６を設けている。この演算装置は、受光した光パワーに比例した上記受光器１５の出力信号の電圧をＡＤ変換するとともに、その値を入力する。また、演算装置１６は上記駆動回路６に対して目的の駆動信号の周波数を設定する。【００３６】
更に、演算装置１６は、後述するように、上記駆動信号の周波数を変化させるとともに、その周波数と導波路型音響光学波長可変フィルタ２の選択波長との関係を基に被測定光の光スペクトラムを求める。【００３７】
図２に示した光スペクトラムアナライザ１０１の動作は次のとおりである。光スペクトラムアナライザ１０１は、被測定光を入力用光ファイバ９から一方入射端７ａに入射する。被測定光は、様々な波長成分の光を含んでおり、光スペクトラムアナライザ１０１によりある波長範囲における光の波長に依存した出力変化すなわちある波長範囲における光の周波数に依存した光出力を測定する。【００３８】
より具体的には、入射された光が、偏光スプリッタ７により、ＴＥモードの光とＴＭモードの光に分光される。一方の光導波路４ａにＴＥモードまたはＴＭモードの光が、他方の光導波路４ｂにＴＭモードまたはＴＥモードの光が導波されることになる。他方、ＩＤＴ５に駆動回路６から高周波信号を印加すると、ＩＤＴ５が励振され、弾性表面波が伝搬することになる。この弾性表面波（以下、ＳＡＷという。）の伝搬により、圧電基板３の結晶構造が歪み、光導波路４ａ，４ｂを単一モードの偏光モードで伝搬している偏光モードのうち、ＩＤＴを駆動する高周波信号の周波数に応じた特定の波長の光の偏光モードが変換されることになる。【００３９】
すなわち、駆動回路６により周波数ｆａの高周波信号をＩＤＴ５に印加した場合、例えばＴＥモードの偏光が光導波路４ａを伝搬されているとき、該ＴＥモードの偏光のうち、特定の波長λａの波長の偏光モードのみがＴＭモードに変換されることになる。そして、このようにしてモード変換された光が、偏光スプリッタ８により他の波長の光と分離され、出射端８ａから選択光として出力され、受光器１５に与えられる。【００４０】
この場合、ＩＤＴ５に加えられる高周波信号の周波数と、選択光の波長とには、１対１の関係が存在する。【００４１】
よって、駆動回路６から、ある波長範囲に応じた周波数範囲の高周波信号をＩＤＴ５に印加しつつ掃引し、測定を行えば、ある波長範囲における波長に依存した光出力変化を得ることができる。【００４２】
例えば、駆動回路６からＩＤＴ５に、所定の周波数範囲の高周波信号をステップ掃引するように印加する。例えば、２５℃の温度で、１５５０ｎｍ近傍の波長を有する被測定光を測定する場合を例にとる。この場合、例えば、ＩＤＴを励振する高周波信号を、１７０．５ＭＨｚ〜１７２．５ＭＨｚでステップ掃引する。受光器１５から得られる出力波形の一例は、図３（ａ）に示す通りとなる。図３（ａ）の横軸は、高周波信号の周波数であり、縦軸は、光出力である。図３（ａ）から明らかなように、光出力において、ピークが表れるが、矢印Ｃが波長１５５０ｎｍの基準光に応答するピークである。【００４３】
音響光学波長可変フィルタにおける選択光の波長は、ＩＤＴを励振する高周波信号の逆数に比例することになる。従って、上記高周波信号の周波数と、選択光の波長とは１対１の関係を有し、図３（ｂ）のように光の波長に対する光出力の特性すなわち光スペクトラムを求めることができる。【００４４】
このように、被測定光の波長分光は導波路型音響光学波長可変フィルタ２上で行われるため、機械的な駆動系は必要なく、装置は小型・軽量で済む。素子の応答速度は、ＳＡＷが相互作用長を伝搬する時間で決まり、μｓオーダーであるため、高速に測定できる。波長可変範囲はＳＡＷの励振可能な周波数範囲で決まる。例えば対数１０の正規型ＩＤＴの場合、波長可変範囲は１００ｎｍ程度と十分に広い。【００４５】
但し、上記ＩＤＴ５に印加する高周波信号の周波数と、選択光の波長とには１対１の関係はあるものの、温度により、周波数に対する選択光の波長の傾きｄλ／ｄｆが変化する。ここで、ｄλは、選択光の波長の変化を示し、ｄｆは、高周波信号の変化分を示す。すなわち、選択光の波長のＩＤＴ５に印加される高周波信号の周波数との関係は、温度依存性を有する。【００４６】
図４は、上記高周波信号の周波数変化ｄｆに対する選択光の波長変化ｄλの傾き、すなわちｄλ／ｄｆの温度による変化を示す。図４から明らかなように、ｄλ／ｄｆは、２５℃において−８．５５ｎｍ／ＭＨｚである。このようにｄλ／ｄｆは音響光学波長可変フィルタの温度に応じて変化する。【００４７】
そこで、第１の実施形態では、図２に示した温度調整用ヒータ３１によって導波路型音響光学波長可変フィルタ２の温度を所定温度に保ち、その温度に応じた前記高周波信号の周波数と前記導波路型音響光学波長可変フィルタの選択波長との関係を基に被測定光の光スペクトラムを求める。【００４８】
例えば、導波路型音響光学波長可変フィルタの温度特性は−８００ｐｍ／℃であるため、０．１℃内で温度調節ができれば８０ｐｍ内の確度で測定できることになる。【００４９】
《第２の実施形態》
図５は第２の実施形態に係る光スペクトラムアナライザ１０２の概略構成図である。第１の実施形態と異なるのは、導波路型音響光学波長可変フィルタ２の温度を所定温度に保つための手段である。図５に示す例では、導波路型音響光学波長可変フィルタ２を構成した圧電基板３の下面に温度調整用ステージ３２を設けている。この温度調整用ステージ３２はペルチェ素子または抵抗ヒータであり、圧電基板３の全体を所定の一定温度に保つ。その他の構成は第１の実施形態と同様である。【００５０】
このように温度調整用ステージ３２によって導波路型音響光学波長可変フィルタ２の温度を所定温度に保ち、その温度に応じた前記高周波信号の周波数と前記導波路型音響光学波長可変フィルタの選択波長との関係を基に、第１の実施形態の場合と同様に被測定光の光スペクトラムを求める。【００５１】
第２の実施形態によれば、導波路型音響光学波長可変フィルタ２全体を加熱（保温）するので、周囲の環境温度との差が大きくても導波路型音響光学波長可変フィルタ２の温度を所定の一定温度に保つことができ、測定波長確度をより高めることができる。【００５２】
《第３の実施形態》
図６は第３の実施形態に係る光スペクトラムアナライザ１０３の概略構成図である。第１・第２の実施形態と異なるのは、導波路型音響光学波長可変フィルタ２の温度を調整するのではなく、その温度を測定して、その温度に応じた高周波信号の周波数と導波路型音響光学波長可変フィルタの選択波長との関係を基に被測定光の光スペクトラムを求めるようにした点である。【００５３】
図６において、温度モニタ用素子３３は導波路型音響光学波長可変フィルタ２の温度を測定する。演算装置１６はその温度モニタ用素子３３の検出信号をＡＤ変換するとともに、その値を入力する。【００５４】
図４を用いて既に述べたように、ＩＤＴに印加する高周波信号の周波数変化ｄｆに対する選択光の波長変化ｄλの傾き（チューニング係数）、すなわちｄλ／ｄｆは温度により変化するが、ｄλ／ｄｆと温度との関係は一定である。そこで、図６に示した演算装置１６は、導波路型音響光学波長可変フィルタ２の温度に対する、ＩＤＴ５に印加する高周波信号の周波数と導波路型音響光学波長可変フィルタ２の選択波長との関係を基にして被測定光の光スペクトラムを求める。【００５５】
この導波路型音響光学波長可変フィルタ２の温度に対する、ＩＤＴ５に印加する高周波信号の周波数と導波路型音響光学波長可変フィルタ２の選択波長との関係は、各温度毎の、ＩＤＴ５に印加する高周波信号の周波数と導波路型音響光学波長可変フィルタ２の選択波長との関係を予めテーブル等に設定しておき、それを読み出すことによって求める。または、基準温度におけるＩＤＴ５に印加する高周波信号の周波数に対する導波路型音響光学波長可変フィルタ２の選択波長の特性と、温度に対するｄλ／ｄｆ（チューニング係数）の特性とから演算によって求める。【００５６】
《第４の実施形態》
図７は第４の実施形態に係る光スペクトラムアナライザ１０４の概略構成図である。第３の実施形態と異なるのは、導波路型音響光学波長可変フィルタ２の温度を測定する手段である。【００５７】
図７に示す例では、圧電基板３にＳＡＷ共振器３４を設け、このＳＡＷ共振器３４の共振周波数を求めることによって導波路型音響光学波長可変フィルタ２の温度を測定するようにしている。すなわち、ＳＡＷ共振器３４の共振周波数は圧電基板３の温度に依存して変化し、その共振周波数と温度との関係は１対１の関係にあるので、ＳＡＷ共振器３４の共振周波数が分かれば圧電基板３の温度、すなわち導波路型音響光学波長可変フィルタ２の温度を求めることができる。【００５８】
図７に示した演算装置１６は、ＳＡＷ共振器３４の共振周波数を求めるとともに、導波路型音響光学波長可変フィルタ２の温度に対する、ＩＤＴ５に印加する高周波信号の周波数と導波路型音響光学波長可変フィルタ２の選択波長との関係を基にして被測定光の光スペクトラムを求める。
【図１】
2008152879.tif 000003
【図２】
2008152879.tif 000004
【図３】
2008152879.tif 000005
【図４】
2008152879.tif 000006
【図５】
2008152879.tif 000007
【図６】
2008152879.tif 000008
【図７】
2008152879.tif 000009
【国際調査報告】
2008152879.tif 000010
2008152879.tif 000011
2008152879.tif 000012
2008152879.tif 000013
2008152879.tif 000014
2008152879.tif 000015
2008152879.tif 000016
2008152879.tif 000017
2008152879.tif 000018
2008152879.tif 000019